(57)【要約】      （修正有）【課題】光フィルタを形成する防眩光学処理レンズを提供する。【解決手段】防眩光学処理レンズ１０は、射出光線ＯＬの波長が入射光線ＩＬの波長の一部分となるように入射光線ＩＬを射出光線ＯＬへと調整し、光搬送体１２と複数の穴１４を有する。光搬送体１２は入射面１２２と射出面１２４を有する。入射面１２２及び射出面１２４はその間に収容空間ＳＰを形成する。入射面１２２と射出面１２４は一定の距離を有し、穴１４は光搬送体１２の収容空間ＳＰに形成される。穴１４は光の通路ＯＣを形成し、穴１４は互いに一定の間隔を有する。このうち、入射光線ＩＬが入射面１２２から収容空間ＳＰに入射した際、光の通路ＯＣが入射光線ＩＬの一部の波長を遮り、射出面１２４から射出光線ＯＬを放射する。【選択図】図１
0003215887.tif 000002
【実用新案登録請求の範囲】
【請求項１】
射出光線の波長が入射光線の波長の一部分となるように入射光線を射出光線へと調整する防眩光学処理レンズであって、
入射面と射出面を有する光搬送体と、
複数の穴を有し、
前記入射面と前記射出面は一定の距離を有し、前記入射面及び前記射出面はその間に収容空間を形成し、
前記穴は前記光搬送体の前記収容空間に形成され、前記穴は光の通路を形成し、前記穴は互いに一定の間隔を有し、
このうち、前記入射光線が前記入射面から前記収容空間に入射した際、前記光の通路が前記入射光線の一部の波長を遮り、前記射出面から前記射出光線を放射することを特徴とする防眩光学処理レンズ。
【請求項２】
前記穴はそれぞれ穴径と穴深さを有し、前記穴径及び前記穴深さはマイクロメートルレベルの長さであり、前記穴の間の穴の間隔はマイクロメートルレベルの長さであることを特徴とする請求項１に記載の防眩光学処理レンズ。
【請求項３】
前記穴の間隔は一定または一定でなく、前記穴を蜂の巣状、等間隔、または任意の並べ方で配置することを特徴とする請求項２に記載の防眩光学処理レンズ。
【請求項４】
前記穴径の範囲は１マイクロメートルから３０マイクロメートルまであり、前記穴の間隔の範囲は４マイクロメートルから６マイクロメートルまでであることを特徴とする請求項２に記載の防眩光学処理レンズ。
【請求項５】
すくなくとも一部分の前記穴深さの範囲は１マイクロメートルから２０マイクロメートルまでであることを特徴とする請求項２に記載の防眩光学処理レンズ。
【請求項６】
前記射出面は使用者の眼球のカーブに対応する凹曲面を有することを特徴とする請求項１に記載の防眩光学処理レンズ。
【請求項７】
前記穴は屈折材料を充填し、前記収容空間は前記屈折材料を選択的に充填することを特徴とする請求項１に記載の防眩光学処理レンズ。
【請求項８】
前記防眩光学処理レンズは更に、前記射出面に隣設設置され、前記射出光線を調節するカラーフィルムを有することを特徴とする請求項１に記載の防眩光学処理レンズ。
【請求項９】
前記防眩光学処理レンズは更に、前記光搬送体と前記カラーフィルムの間に設置され、前記光搬送体と前記カラーフィルムを組み合わせるコロイドを有し、前記コロイドの屈折率は前記光搬送体の屈折率と選択的に同一であり、これにより前記入射光線と前記射出光線の少なくとも一方を導引することを特徴とする請求項８に記載の防眩光学処理レンズ。
【請求項１０】
前記防眩光学処理レンズは更に、前記光搬送体の前記入射面または前記射出面に隣設設置される偏光膜を有し、前記偏光膜は複数のスリットを形成することを特徴とする請求項１に記載の防眩光学処理レンズ。
【請求項１１】
前記防眩光学処理レンズは更に、前記射出面に形成される干渉膜層を有し、前記干渉膜層は前記射出光線が発生させる回折した光を修正することを特徴とする請求項１に記載の防眩光学処理レンズ。
【考案の詳細な説明】
【技術分野】
【０００１】
本件出願に係る考案は、光学レンズの技術分野に関し、特に、光学構造体により形成される防眩光学処理レンズに関する。
【背景技術】
【０００２】
従来の光学レンズは高い透過率を実現しているが、それに伴って、有害な光と無害な光を共に人間の眼球へ直接進入させてしまう。これら有害な光線は視界が不明瞭になる原因となるほか、眼球や網膜を傷つけ、視覚障害を引き起こす可能性もある。
【０００３】
これらの問題に鑑み、本考案は、従来の技術の欠点を解決する防眩光学処理レンズを提供する。
【考案の概要】
【考案が解決しようとする課題】
【０００４】
本考案の第一の目的は、光搬送体内に複数の穴を形成し、前記複数の穴が光の通路を形成することで、光フィルタを形成する防眩光学処理レンズを提供することにある。
【０００５】
本考案の第二の目的は、前記穴の間隔、穴径、穴深さを調整することで、入射光線のうち少なくとも１つの波長の光を選択的に透過せず、または入射光線のうち少なくとも１つの波長の光を選択的に透過する前記防眩光学処理レンズを提供することにある。
【０００６】
本考案の第三の目的は、光搬送体の片側にカラーフィルムを有し、これにより紫外線のカット、特定の波長や強度の光を吸収する等の効果を得ることができる前記防眩光学処理レンズを提供することにある。
【０００７】
本考案の第四の目的は、複数のスリットを形成する偏光膜を有し、入射光線または光搬送体が放射する射出光線が前記スリットの作用により射出光線の偏波状態を変え、反射を取り除き、またはコントラストを向上させる効果を得ることができる前記防眩光学処理レンズを提供することにある。
【０００８】
本考案の第五の目的は、特定の屈折率を有するコロイドにより、導光、光搬送体とカラーフィルムの結合及び前記穴の充填をすることができる前記防眩光学処理レンズを提供することにある。
【０００９】
本考案の第六の目的は、使用者の眼球のカーブに合わせて設計された凹曲面である射出面を有する前記防眩光学処理レンズを提供することにある。
【００１０】
本考案の第七の目的は、前記射出面に干渉膜層を形成することで、射出光が前記穴から射出した後に発生する回折現象を減少させることができる前記防眩光学処理レンズを提供することにある。
【課題を解決するための手段】
【００１１】
上述の目的を達成するための本考案の防眩光学処理レンズは、射出光線の波長が入射光線の波長の一部分となるように入射光線を射出光線へと調整する。本考案の防眩光学処理レンズは、光搬送体と複数の穴を有する。前記光搬送体は入射面と射出面を有する。前記入射面及び前記射出面はその間に収容空間を形成する。前記入射面と前記射出面は一定の距離を有する。前記穴は前記光搬送体の前記収容空間に形成される。前記穴は光の通路を形成し、前記穴は互いに一定の間隔を有する。このうち、前記入射光線が前記入射面から前記収容空間に入射した際、前記光の通路が前記入射光線の一部の波長を除去し、前記射出面から前記射出光線を放射する。
【００１２】
従来の技術と比べ、本考案の防眩光学処理レンズは、使用者の眼球（例えば網膜）が有害波長を有する光線による傷害を受けるのを防ぐ。本考案において、レンズは使用者の視覚感覚に影響を与えないごく小さな光学構造であり、前記光学構造が形成する光フィルタを効率的に通過させることで、前述の有害な波長を遮ることができる。
【００１３】
他の実施例において、前記レンズはカラーフィルムと組み合わせることができる。前記カラーフィルムを利用することで、特定の波長を遮り、または吸収する効果を得ることができる。これにより、前記光搬送体からの射出光に更なる光学処理を行うことができる。
【００１４】
他の実施例において、前記レンズは偏光膜と組み合わせることができる。前記偏光膜に形成される複数のスリットを利用することで、更なる光学処理を行うことができる。
【００１５】
他の実施例において、前記カラーフィルム及び前記偏光膜を組み合わせ、複数の光学処理を行うことができる。これにより、より効率的に有害光線（例えば紫外線、赤外線、ブルーライト、拡散光等）を遮り、眼球に与える損害を軽減することができる。
【００１６】
上述のとおり、本考案は穴の開いた光搬送体の構造により、拡散光、屈折光、不規則反射光等の有害光線を遮り、特定の光線（例えば直線光線）のみを通過させることができる。更には、特定の光線が前記光搬送体から放射される際、例えばめっき方式により干渉膜層をめっき処理することで穴を開けたことにより発生する干渉波長を処理したり、カラーフィルムにより光搬送体や干渉膜層またはその組み合わせによっても処理しきれなかった波長を処理したりと、選択的に行うことができる。前記カラーフィルムは反射、吸収等の方法で前述の目的を達成するほか、視覚的効果を増加させる目的にも使用できる。更に偏光膜を加えることで、色の彩度を向上させ、偏波状態を変えることができ、さらにはっきりとした影像を得ることができる。
【図面の簡単な説明】
【００１７】
【図１】本考案の防眩光学処理レンズの第一実施例を示す立体図である。
【図２】本考案の防眩光学処理レンズをリム及びテンプルに応用した実施例を示す説明図である。
【図３ａ−３ｃ】本考案の図１における穴の設置を示す説明図である。
【図４】本考案の防眩光学処理レンズの第二実施例を示す断面図である。
【図５】本考案の防眩光学処理レンズの第三実施例を示す断面図である。
【考案を実施するための形態】
【００１８】
以下、本考案の目的、特徴及び効果を十分に理解できるように、図面と実施形態とを組み合わせて、本考案の実施例について詳しく説明する。
【００１９】
本明細書中で使用される「一」、「一つ」は明細書のユニット、構造、物品、または装置を記述するものであり、これは説明の利便のために過ぎず、また本考案の範疇に一般的な意味を与えるものである。特に言及しない限り、そのような記述は一つ、少なくとも一つ、また単数及び複数の概念をも含むことが理解されるべきである。
本明細書中で使用される「含む」、「含んでいる」、「備える」、「備えている」、「有する」、「有している」、「含有する」、「含有している」またはそれらの変化形は、非排他的包含であることを意図するものである。例えば、挙げられた要素を備えるユニット、構造、物品、または装置は、必ずしもこれらの要素のみに限定されるものでなく、明示的に挙げられていないがこのようなユニット、構造、物品、または装置に本来備わっている他の要素も含んでよい。さらに、反対であることを明示的に指摘していない限り、「または」は、包含的な「または」であり、排他的な「または」ではない。
【００２０】
図１は本考案の防眩光学処理レンズの第一実施例を示す立体図である。防眩光学処理レンズ１０は入射光線ＩＬを射出光線ＯＬへと調整する。これによる射出光線ＯＬの波長λ２は、入射光線の波長λ１、λ２、λ３のうちの一部分であり、波長λ１及びλ３は眼球に有害なブルーライト、紫外線等と仮定できる。入射光線の波長はλ１、λ２、λ３の３つを例に説明するが、他の実施例において３つの波長であるとは限らない。また、使用者の眼球の正面に設置するために、リム２及びテンプル４を組み合わせ、防眩光学処理レンズ１０をリム２に固定してもよい（図２を参照）。他の実施例において、防眩光学処理レンズ１０は望遠鏡、撮影機、カメラ等の光学システムに応用することができる。
【００２１】
防眩光学処理レンズ１０は、光搬送体１２と、複数の穴１４を含む。
【００２２】
光搬送体１２は入射面１２２と射出面１２４を有する。図２は防眩光学処理レンズの断面図である。入射面１２２及び射出面１２４はその間に収容空間ＳＰを形成する。収容空間ＳＰには、ガラス、樹脂等の材質のものを充填する。このうち、前記材質は光搬送体１２の屈折率に影響する。例えば、樹脂の屈折率は約１．５、ガラスの屈折率は約１．５〜１．９である。入射面１２２及び射出面１２４は一定の距離ｄを有する。
【００２３】
本実施例において、射出面１２４は凹面である。前記凹面は使用者の眼球のカーブに対応した凹曲面を有する。その目的は、光の屈折や干渉を抑えるためである。
【００２４】
穴１４は光搬送体１２の収容空間ＳＰに形成される。穴１４は光の通路ＯＣを形成する。これらの穴は蜂の巣状、等間隔、または任意の並べ方で配置する。図３（ａ）は蜂の巣状に配置した説明図である。図３（ｂ）は等間隔に配置した説明図である。図３（ｃ）は任意に配置した説明図である。穴１４は穴径１４２、穴深さ１４４、穴の間隔１４６等の特徴を持つ。それぞれの特徴について以下で説明する。特筆すべきは、穴１４は円形を例に説明するが、本考案において穴１４は円形に限定せず、任意の形であってよい。光の通路ＯＣは屈折、拡散、反射、回折等を発生させることにより光線の強度と波長を遮る。
【００２５】
穴径１４２は穴１４の外周上から穴１４の中央を経由して反対側の外周までの長さである。例えば、穴１４の形状が円形であるとき、穴径は直径である。本実施例において、穴径１４２はマイクロメートルレベルの長さである。穴径１４２の範囲は１マイクロメートルから３０マイクロメートルまでの間であり、より好ましくは、穴径１４２は５マイクロメートル以下に調整されたときに透過率が高くなる。穴１４のサイズはすべて同一でなくてもよい。より好ましくは、穴１４の特定数量の穴径１４２は５マイクロメートル以下であるとき、入射面１２２で発生する拡散や反射による干渉を減少させることができ、更に透過率が高くなる。
【００２６】
穴深さ１４４は穴１４の開口部の一端から反対側の一端までの長さである。本実施例において、前記一端は入射面１２２を指し、反対側の一端は射出面１２４を指し、穴深さ１４４はおおよそ距離ｄとなる。他の実施例において、穴深さ１４４は距離ｄより小さくてもよい。本実施例において、穴深さ１４４はマイクロメートルレベルの長さである。穴深さ１４４の範囲は１マイクロメートルから２０マイクロメートルの間である。
【００２７】
穴の間隔１４６は穴１４の互いの間隔である。穴の間隔１４６はマイクロメートルレベルの長さである。本実施例において、それぞれの穴１４の間隔は同一である。他の実施例において、それぞれの穴１４の間隔は同一でなくてもよく、需要と製造方法により適宜調整してもよい。穴の間隔１４６の範囲は４マイクロメートルから６マイクロメートルの間である。
【００２８】
穴径１４２、穴深さ１４４及び穴の間隔１４６のうち少なくとも１つを調整することで、射出面１２４が射出する射出光線ＯＬを変化させることができる。すなわち、入射光線ＩＬが入射面１２２から収容空間ＳＰに入射する際、光の通路ＯＣが入射光線ＩＬ中の一部の波長を遮り、射出面１２４から射出光線ＯＬを放射する。前述の光搬送体１２に穴１４を形成する際、レンズにピン穴を組み合わせて成る空間フィルタのようなものを形成し、波長を選択的に除去することができる。
【００２９】
本実施例において、穴１４は屈折材料を充填してもよい。前記屈折材料は例として、ガラス、樹脂等の材質からなるものであってもよい。前記材料は収容空間ＳＰと同様の屈折率を持つ屈折材料を選んでもよい。
【００３０】
図４は本考案の防眩光学処理レンズの第二実施例を示す断面図である。防眩光学処理レンズ１０'は第一実施例の光搬送体１２と穴１４を含むほか、更にカラーフィルム１６を含む。
【００３１】
カラーフィルム１６は射出面１２４に隣設設置され、射出光線ＯＬを調節する。カラーフィルム１６はその材質の中に染料（分散染料とも称する）を添加し、色のある薄片状体を形成する。このうち、染料は二種または三種以上の色料を混合して調合してもよく、それぞれの色料もまた多種の着色原料を調合して成る。カラーフィルム１６は紫外線カット、特定の波長を吸収する、波長を安定させる等の効果を有する。例えば、イエロー系の染料は波長範囲が４５０ｎｍ〜５００ｎｍの間にあるブルーライトの一部を吸収し、網膜への障害を減少させる効果がある。本実施例において、染料の比率を調整することで、特定波長を選択的に排除、吸収及び安定させることができる。
【００３２】
特筆すべきは、カラーフィルム１６と光搬送体１２は組み合わせることができる。本実施例において、更にコロイド（図示せず）を光搬送体１２とカラーフィルム１６の間に設置することで、光搬送体１２とカラーフィルム１６を組み合わせることが可能である。このうち、コロイドの屈折率は光搬送体１２の屈折率と同様のものを選択することができ、これにより入射光線ＩＬと射出光線ＯＬの少なくとも一方を導引、すなわち導光が可能になる。更に、コロイドは光搬送体１２とカラーフィルム１６を組み合わせる過程において、穴１４も充填する。
【００３３】
図５は本考案の防眩光学処理レンズの第三実施例を示す断面図である。防眩光学処理レンズ１０"は第二実施例の光搬送体１２、穴１４、カラーフィルム１６を含むほか、更に偏光膜１８と干渉膜層２０を含む。
【００３４】
偏光膜１８は光搬送体１２上に設置される。本実施例において、偏光膜１８は射出面１２４に設置される例で説明する。他の実施例において、偏光膜１８は入射面１２２に設置してもよい。このうち、偏光膜１８は複数のスリット（図示せず）を形成する。前記スリットは平行に並べられる。
【００３５】
干渉膜層２０は射出面１２４に形成される。干渉膜層２０は射出光線ＯＬが発生させる回折した光を修正する。前記回折した光は、穴１４により引き起こされる可能性がある。干渉膜層２０は例えばめっき方式により形成される。
【００３６】
特筆すべきは、偏光膜１８と干渉膜層２０は実際の設計の状況に応じ偏光膜１８、干渉膜層２０、またはその両方を採用するかを決定することができる。
【００３７】
上述において、本考案の説明の利便性のために最良の実施例を挙げて説明したが、これらの実施例は本考案の請求の範囲を限定するものではなく、本考案に基づく本考案の要旨を逸脱しないあらゆる変更は本考案の請求の範囲に含まれる。
【符号の説明】
【００３８】
２ リム
４ テンプル
１０、１０'、１０" 防眩光学処理レンズ
１２ 光搬送体
１２２ 入射面
１２４ 射出面
１４ 穴
１４２ 穴径
１４４ 穴深さ
１４６ 穴の間隔
１６ カラーフィルム
１８ 偏光膜
２０ 干渉膜層
ＩＬ 入射光線
ＯＬ 射出光線
ＳＰ 収容空間
ｄ 距離
ＯＣ 光の通路
λ１、λ２、λ３ 波長
【図１】
0003215887.tif 000003
【図２】
0003215887.tif 000004
【図３】
0003215887.tif 000005
【図４】
0003215887.tif 000006
【図５】
0003215887.tif 000007